(57)【要約】【課題】車載機器を車内に設置して固定したら車載機器本体を容易に取り外せないようにした車載機器取付装置を提供する。【解決手段】車載機器本体１に第１の盗難防止用金具３を特殊ビス５にて取り付け、また車載機器取付金具２に第２の盗難防止用金具４を共締めにて車内の設置箇所に固定する。さらに車載機器本体１の前面より特殊ビス５にて第１の盗難防止用金具３と第２の盗難防止用金具４を締結することにより、車載機器本体を車内に設置して固定したら車載機器本体を容易に抜き出せないようにしている。【選択図】    図１
2004262298.tif 000002
【特許請求の範囲】
【請求項１】
車載機器本体に取り付けられ、操作面側に第１のネジ穴部を有する第１の盗難防止金具と、
前記車載機器本体を摺動して取り付けるスライド保持部を有し、車体に取り付ける車載機器金具と、
特定形状のボルトとによって、前記第１のネジ穴部に共締めする位置に設けられた第２のネジ穴部を有し、前記車載機器取付金具に取り付けられる第２の盗難防止金具とを備え、
前記車載機器本体を前記車載機器取付金具に摺動して取り付け、前記第１のネジ穴部と前記第２のネジ穴部とを前記ボルトによって固着したことを特徴とする車載機器取付装置。
【請求項２】
前記車載機器本体とこれに取り付ける前記第１の盗難防止金具を一体化したことを特徴とする請求項１記載の車載機器取付装置。
【請求項３】
前記車載機器取付金具とこれに取り付ける前記第２の盗難防止金具を一体化したことを特徴とする請求項１記載の車載機器取付装置。
【請求項４】
前記車載機器本体とこれに取り付ける前記第１の盗難防止金具を一体化した部材を前記車載機器取付金具とこれに取り付ける前記第２の盗難防止金具を一体化した部材に取り付けたことを特徴とする請求項１記載の車載機器取付装置。
【請求項５】
前記第１及び第２の盗難防止金具を締結する前記ビスに抜け止め機構を備えさせたことを特徴とする請求項１記載の車載機器取付装置。
【請求項６】
前記ビスの代わりに、錠前にて２つの盗難防止金具を施錠したことを特徴とする請求項１記載の車載機器取付装置。
【請求項７】
車載機器本体をスライドして装着する車載機器取付金具と、前記車載機器取付金具及び前記車載機器本体の背面側に、前記車載機器本体の前面からの取り外しができないように前記車載機器本体のスライドを防止するスライド防止金具を設け、前記スライド防止金具をビスにて固定したことを特徴とする車載機器盗難防止装置。
【請求項８】
車載機器本体をスライド挿入して車載機器取付金具に装着する段階と、前記車載機器本体背面側に前記車載機器本体のスライド抜けを防止する金具を頭の切り込みが特異な形状のビスにて取り付ける段階とを含む車載機器盗難防止方法。
【発明の詳細な説明】
【０００１】
【発明の属する技術分野】
本発明は、車載機器を車内に設置して固定したら車載機器本体が容易に取り外せないようにする車載機器取付装置に関する。
【０００２】
【従来の技術】
従来、車載機器を車内に取り付けるための車載機器取付装置としては、下記に示す特許文献１が知られている。図４は、特許文献１に開示された従来の車載機器取付装置の構成を示すものであり、図４において車載機器本体４１の左右の両側面にはスライド溝４１ａが設けられ、また車載機器取付金具４２にはスライド引っ掛け部４２ａが設けられている。図４において車載機器本体４１を車内に取り付ける場合には、車内に固定された車載機器取付金具４２に対して車載機器本体４１を矢印方向に移動させ、車載機器取付金具４２に設けられたスライド引っ掛け部４２ａに車載機器本体４１に設けられたスライド溝４１ａを嵌入させながら車載機器本体４１を車内に取り付けていた。
【０００３】
【特許文献１】
実開平５−６９９９１号公報
【０００４】
【発明が解決しようとする課題】
しかしながら、上記従来の車載機器取付装置における車載機器本体と車載機器取付金具との取付方法では、だれでも車内から車載機器本体の取り外しが容易に可能であるという問題を有していた。
【０００５】
本発明は、上記従来の問題を解決するもので、車載機器を車内に設置して固定したら車載機器本体を容易に取り外せないようにした車載機器取付装置を提供することを目的とする。
【０００６】
【課題を解決するための手段】
本発明の請求項１に記載の発明は、車載機器本体に取り付けられ、操作面側に第１のネジ穴部を有する第１の盗難防止金具と、前記車載機器本体を摺動して取り付けるスライド保持部を有し、車体に取り付ける車載機器金具と、特定形状のボルトとによって、前記第１のネジ穴部に共締めする位置に設けられた第２のネジ穴部を有し、前記車載機器取付金具に取り付けられる第２の盗難防止金具とを備え、前記車載機器本体を前記車載機器取付金具に摺動して取り付け、前記第１のネジ穴部と前記第２のネジ穴部とを前記ボルトによって固着したことを特徴とする車載機器取付装置としたものであり、この構成により、特定の工具を有する者しか車載機器本体を取り外せないので盗難を防止することができる。
【０００７】
また、請求項２に記載の発明は、前記車載機器本体とこれに取り付ける前記第１の盗難防止金具を一体化したことを特徴とする請求項１記載の車載機器取付装置としたものであり、この構成により、部品点数およびコストを削減した盗難防止可能な車載機器取付装置を提供することができる。
【０００８】
また、請求項３に記載の発明は、前記車載機器取付金具とこれに取り付ける前記第２の盗難防止金具を一体化したことを特徴とする請求項１記載の車載機器取付装置としたものであり、この構成により、部品点数およびコストを削減した盗難防止可能な車載機器取付装置を提供することができる。
【０００９】
また、請求項４に記載の発明は、前記車載機器本体とこれに取り付ける前記第１の盗難防止金具を一体化した部材を前記車載機器取付金具とこれに取り付ける前記第２の盗難防止金具を一体化した部材に取り付けたことを特徴とする請求項１記載の車載機器取付装置としたものであり、この構成により、さらに部品点数およびコストを削減した盗難防止可能な車載機器取付装置を提供することができる。
【００１０】
また、請求項５に記載の発明は、前記第１及び第２の盗難防止金具を締結する前記ビスに抜け止め機構を備えさせたことを特徴とする請求項１記載の車載機器取付装置としたものであり、この構成により、盗難防止可能な車載機器取付装置を設置する場合、設置作業時に特殊ビスを抜け落とすことがなく作業効率を向上させることができる。
【００１１】
また、請求項６に記載の発明は、前記ビスの代わりに、錠前にて２つの盗難防止金具を施錠したことを特徴とする請求項１記載の車載機器取付装置としたものであり、この構成により、錠前の鍵を持つ特定の者しか車載機器本体を取り外せないので盗難を防止することができる。
【００１２】
また、請求項７に記載の発明は、車載機器本体をスライドして装着する車載機器取付金具と、前記車載機器取付金具及び前記車載機器本体の背面側に、前記車載機器本体の前面からの取り外しができないように前記車載機器本体のスライドを防止するスライド防止金具を設け、前記スライド防止金具をビスにて固定したことを特徴とする車載機器盗難防止装置としたものであり、この構成により、盗難防止機構を施していることが正面から一見してわからないようにして車載機器本体の盗難を防止することができる。
【００１３】
また、請求項８に記載の発明は、車載機器本体をスライド挿入して車載機器取付金具に装着する段階と、前記車載機器本体背面側に前記車載機器本体のスライド抜けを防止する金具を頭の切り込みが特異な形状のビスにて取り付ける段階とを含む車載機器盗難防止方法としたものであり、この構成により、盗難防止機能を有する車載機器本体を正面から一見してわからないように取り付けることができる。
【００１４】
【発明の実施の形態】
以下、本発明の実施の形態について、図面を用いて説明する。
【００１５】
（第１の実施の形態）
図１（ａ）〜図１（ｅ）は本発明の第１の実施形態に係る車載機器取付装置による車内への車載機器の取り付け方法を説明するための図であって、図１（ａ）は、第１の盗難防止用金具３を車載器本体１に取り付ける様子を示した裏面側から見た斜視図であり、図１（ｂ）は、第１の盗難防止用金具３を特殊ビス５により車載器本体１に取り付けた後の様子を示した正面側から見た斜視図であり、図１（ｃ）は、第２の盗難防止用金具４を車載機器取付金具２に取り付ける様子を示した分解斜視図であり、図１（ｄ）は、第２の盗難防止用金具４をボルト６により車載機器取付金具２に取り付けた後の様子を示した斜視図であり、図１（ｅ）は、図１（ｄ）に示した車載機器取付金具２に図１（ｂ）に示した車載器本体１をスライド結合して特殊ビス５により取り付けた様子を示す正面側から見た斜視図である。
【００１６】
図１（ａ）において、車載機器本体１は車内に設置する機器本体であり、また第１の盗難防止用金具３は車載機器本体１側に付加する盗難防止用の金具である。さらに、第１の盗難防止用金具３を車載機器本体１に取り付け、また第１の盗難防止用金具３と第２の盗難防止用金具４を締結する（図１（ｂ）及び図１（ｅ）参照）ためのビス５は、頭の切り込みが特異な形状をしており、これに適した工具を使用しないと締め外しができない特殊ビスである。この特殊ビスは通常のプラスドライバーやマイナスドライバーでは取り外しできないものである。
【００１７】
図１（ｂ）において、車載機器取付金具２は車載機器本体１を車内に設置する際に使用する取付用の金具であり、また第２の盗難防止用金具４は取付金具２に付加する盗難防止用の金具である。さらにボルト６は車載機器取付金具２と第２の盗難防止用金具４を共締めして車内の設置箇所に取り付けるためのボルトである。
【００１８】
以上のように構成された本発明の第１の実施形態に係る車載機器取付装置について図１（ａ）〜図１（ｅ）を用いてその取り付け方法を以下に説明する。図１（ａ）においてまず第１の盗難防止用金具３を車載機器本体１に特殊ビス５にて取り付ける。第２の盗難防止用金具４を車載機器取付金具２に重ね合わせ、ボルト６にて車内の設置箇所すなわち土台１２に固定する際、共締めして固定する。第１の盗難防止用金具３を取り付けた車載機器本体１のスライド溝１ａに合わせるようにして第２の盗難防止用金具４を取り付けた車載機器取付金具２のスライド引っ掛け部２ａに引っ掛けてスライドして実装する。この際、第２の盗難防止用金具４は取り外しが不可能な状態となる。この状態にて前面より特殊ビス５にて第１の盗難防止用金具３と第２の盗難防止用金具４と締結する。
【００１９】
以上のように本発明の第１の実施形態に係る車載機器取付装置によれば、車載機器本体と車載機器取付金具のそれぞれに盗難防止用金具を取り付け、この両盗難防止用金具を特殊ビスにて締結することにより、特殊ビスに対応する工具を持つ者しか、車載機器本体を車内から持ち出すことができないようにして盗難を防止することができる。
【００２０】
（第２の実施の形態）
本発明の第２の実施の形態は、図１（ａ）及び図１（ｂ）に示した第１の盗難防止用金具３と車載機器本体１を一体化し、第１の盗難防止用金具３のネジ穴部３ａが車載機器本体１の一部として構成したものである。
【００２１】
取り付け方法は上記した第１の実施の形態と同様であるのでここでは再説しない。
【００２２】
以上のように本発明の第２の実施の形態によれば、第１の盗難防止用金具３と車載機器本体１を一体化することにより、部品点数およびコストを削減した盗難防止可能な車載機器取付装置を提供することができる。
【００２３】
（第３の実施の形態）
本発明の第３の実施の形態は、図１（ｃ）及び図１（ｄ）に示した第２の盗難防止用金具４と車載機器取付金具２を一体化し、第２の盗難防止用金具４のネジ穴部４ａを車載機器取付金具２の一部として構成したものである。
【００２４】
取り付け方法は上記した第１の実施の形態と同様であるのでここでは再説しない。
【００２５】
以上のように本発明の第３の実施の形態によれば、第２の盗難防止用金具４と車載機器取付金具２を一体化することにより、部品点数およびコストを削減した盗難防止可能な車載機器取付装置を提供することができる。
【００２６】
（第４の実施の形態）
上記した第２の実施の形態では、第１の盗難防止用金具３と車載機器本体１を一体化する一体化構成では、図１（ｃ）及び図１（ｄ）のように第２の盗難防止用金具４と車載機器取付金具２とが一体化されていなくても組み合わせることができ、また、上記した第３の実施の形態に示した第２の盗難防止用金具４と車載機器取付金具２を一体化する一体化構成では、図１（ａ）及び図１（ｂ）のように第１の盗難防止用金具３と車載機器本体１とが一体化されていなくても組み合わせることができる。そこで本発明の第４の実施の形態は、上記した第２の実施の形態に示した一体化構成と、上記した第３の実施の形態に示した一体化構成とを共に備えて組み合わせることにより、さらに部品点数およびコストを削減した盗難防止可能な車載機器取付装置を提供するようにしたものである。
【００２７】
取り付け方法は上記した第１の実施の形態と同様であるのでここでは再説しない。
【００２８】
以上のように本発明の第４の実施の形態によれば、盗難防止用金具３と車載機器本体１および盗難防止用金具４と車載機器取付金具２を一体化することにより、さらなる部品点数およびコストを削減した盗難防止可能な車載機器取付装置を提供することができる。
【００２９】
（第５の実施の形態）
本発明の第５の実施の形態は、図１（ａ）及び図１（ｅ）における第１の盗難防止用金具３に取り付けて固定する特殊ビス５が抜け落ちない構造として、盗難防止可能な車載機器取付装置を設置する場合、設置作業時に特殊ビスを抜け落とすことがなく作業効率を向上させるようにしたものである。
【００３０】
取り付け方法は上記した第１の実施の形態と同様であるのでここでは再説しない。
【００３１】
以上のように本発明の第５の実施の形態によれば、盗難防止可能な車載機器取付装置を設置する場合、設置作業時に特殊ビスを抜け落とすことがなく作業効率を向上させることができる。
【００３２】
（第６の実施の形態）
図２は、本発明の第６の実施の形態における車載機器本体の取り付け方法を説明するための図であって、図２（ａ）は、第３の盗難防止用金具７を車載器本体１に取り付ける様子を示した裏面側から見た斜視図であり、図２（ｂ）は、第３の盗難防止用金具７を特殊ビス５により車載器本体１に取り付けた後の様子を示した正面側から見た斜視図であり、図２（ｃ）は、第４の盗難防止用金具８を車載機器取付金具２に取り付ける様子を示した分解斜視図であり、図２（ｄ）は、第４の盗難防止用金具８をボルト６により車載機器取付金具２に取り付けた後の様子を示した斜視図であり、図２（ｅ）は、図２（ｄ）に示した車載機器取付金具２に図２（ｂ）に示した車載器本体１をスライド結合して錠前９を取り付けた様子を示す正面側から見た斜視図である。
【００３３】
図２（ａ）〜図２（ｅ）において本発明の第６の実施の形態は、第３の盗難防止用金具７と第４の盗難防止用金具８に錠前９の留め部７ａと留め部８ａを構成し、これらの留め部７ａと留め部８ａに錠前９を締結して盗難防止を図ったものである。
【００３４】
取り付け方法は上記した第１の実施の形態における特殊ネジ５に対して第３及び第４の盗難防止金具の締結を錠前９にて行う。
【００３５】
以上のように本発明の第６の実施の形態によれば、２つの盗難防止金具を錠前９によって締結することにより、錠前９の鍵を持つ特定の者を除いて車載機器１の取り外しができないので、車内に取り付けた車載機器の盗難を防止することができる。
【００３６】
（第７の実施の形態）
図３は、本発明の第７の実施の形態における車載機器本体の取り付け方法を説明するための図であって、図３（ａ）は、土台１２に車載機器取付金具２を取り付ける前の様子を示した分解斜視図であり、図３（ｂ）は、土台１２にボルト６により車載機器取付金具２を取り付けた後に車載器本体１を取り付ける前の様子を示した斜視図であり、図３（ｃ）は、固定された車載機器取付金具２に車載器本体１を取り付けた後の様子を示した正面側から見た斜視図であり、図３（ｄ）は、図３（ｃ）の状態においてスライド防止金具１０を特殊ネジ５により車載器本体１に取り付ける様子を示した裏面側から見た斜視図である。
【００３７】
図３（ａ）〜図３（ｄ）において本発明の第７の実施の形態は、車載機器本体１を車載機器取付金具２にスライドして取り付けた状態において、車載機器本体１の前面からの取り外しができないように車載機器本体１のスライドを防止するスライド防止金具１０を車載機器取付金具２と車載機器本体１の背面側に設けたものであり、このスライド防止金具１０を特殊ビス５にて車載機器本体１の背面のネジ穴部に取り付け固定する。図３（ｄ）ではスライド防止金具１０は左背面側だけ設けるように例を示したが、右背面側に設けるようにしてもよい。
【００３８】
以上のように構成された本発明の第７の実施形態に係る車載機器取付装置について図３（ａ）〜図３（ｄ）を用いてその取り付け方法を以下に説明する。図３（ａ）においてまず車載機器取付金具２を車内の設置箇所すなわち土台１２にボルト６にて設置固定する。次いで図３（ｂ）及び図３（ｃ）において車載機器本体１を車載機器取付金具２の前面より車載機器取付金具２のスライド引っ掛け部２ａに車載機器本体１の両側面の溝１ａに合わせてスライドして取り付ける。そして図３（ｄ）において車載機器本体１の背面より車載機器本体１が前にスライドしないストッパーとしてスライド防止金具１０を特殊ビス５にて車載機器本体１の背面のネジ穴部に取り付け固定する。
【００３９】
以上のように本発明の第７の実施の形態によれば、車載機器本体１の前面からの取り外しができないように車載機器本体１のスライドを防止するスライド防止金具１０を車載機器取付金具２と車載機器本体１の背面側に設けることにより、盗難防止機構を施していることが正面から一見してわからないようにして車載機器本体の盗難を防止することができる。
【００４０】
【発明の効果】
以上に示した本発明によれば、車載機器本体に取り付ける第１の盗難防止金具と、車載機器取付金具に第２の盗難防止金具を取り付けて車内の設置箇所に固定し、さらに前記車載機器本体前面より頭の切り込みが特異な形状のビスにて、取り付けた前記第１及び第２の盗難防止金具を締結することにより、特定の工具を有する者しか車載機器本体を取り外せないので盗難を防止することができるという効果が得られる。
【図面の簡単な説明】
【図１】本発明の第１乃至第５の実施の形態における車載機器本体の取付方法を説明するための図であって、
（ａ）第１の盗難防止用金具３を車載器本体１に取り付ける様子を示した裏面側から見た斜視図
（ｂ）第１の盗難防止用金具３を特殊ビス５により車載器本体１に取り付けた後の様子を示した正面側から見た斜視図
（ｃ）第２の盗難防止用金具４を車載機器取付金具２に取り付ける様子を示した分解斜視図
（ｄ）第２の盗難防止用金具４をボルト６により車載機器取付金具２に取り付けた後の様子を示した斜視図
（ｅ）（ｄ）に示した車載機器取付金具２に（ｂ）に示した車載器本体１をスライド結合して特殊ビス５により取り付けた様子を示す正面側から見た斜視図
【図２】本発明の第６の実施の形態における車載機器本体の取付方法を説明するための図であって、
（ａ）第３の盗難防止用金具７を車載器本体１に取り付ける様子を示した裏面側から見た斜視図
（ｂ）第３の盗難防止用金具７を特殊ビス５により車載器本体１に取り付けた後の様子を示した正面側から見た斜視図
（ｃ）第４の盗難防止用金具８を車載機器取付金具２に取り付ける様子を示した分解斜視図
（ｄ）第４の盗難防止用金具８をボルト６により車載機器取付金具２に取り付けた後の様子を示した斜視図
（ｅ）（ｄ）に示した車載機器取付金具２に（ｂ）に示した車載器本体１をスライド結合して錠前９を取り付けた様子を示す正面側から見た斜視図
【図３】本発明の第７の実施の形態における車載機器本体の取付方法を説明するための図であって、
（ａ）土台１２に車載機器取付金具２を取り付ける前の様子を示した分解斜視図（ｂ）土台１２にボルト６により車載機器取付金具２を取り付けた後に車載器本体１を取り付ける前の様子を示した斜視図
（ｃ）固定された車載機器取付金具２に車載器本体１を取り付けた後の様子を示した正面側から見た斜視図
（ｄ）（ｃ）の状態においてスライド防止金具１０を特殊ネジ５により車載器本体１に取り付ける様子を示した裏面側から見た斜視図
【図４】従来の車載機器本体の取り付け方法を説明するための図
【符号の説明】
１  車載機器本体
１ａ  車載機器本体側面の溝
２  車載機器取付金具
２ａ  スライド引っ掛け部
３  第１の盗難防止用金具（ネジ締結）
３ａ  第１の盗難防止用金具のネジ穴部
４  第２の盗難防止用金具（ネジ締結）
４ａ  第２の盗難防止用金具のネジ穴部
５  特殊ビス
６  車内取り付け用ボルト
７  第３の盗難防止用金具（錠前締結）
７ａ  第３の盗難防止用金具の留め部
８  第４の盗難防止用金具（錠前締結）
８ａ  第４の盗難防止用金具の留め部
９  錠前
１０  スライド防止金具
４１  車載機器本体
４１ａ  スライド溝
４２  車載機器取付金具
４２ａ  スライド引っ掛け部
【図１】
2004262298.tif 000003
【図２】
2004262298.tif 000004
【図３】
2004262298.tif 000005
【図４】
2004262298.tif 000006